(57)【要約】      （修正有）【課題】玩具発射速度の変更が可能で変化に富んだ遊びができる玩具車両発射装置を提供する。【解決手段】本体ケース２から玩具車両３を発射させる発射手段を備える玩具車両発射装置１において、本体ケースの玩具車両進路に着脱可能に連結されるガイドレール４と、ガイドレールが本体ケースに装着された状態と、ガイドレールが本体ケースから離脱された状態とで、発射手段による玩具車両の発射速度を変更させる発射制御装置とを備える。【選択図】図１
0003139551.tif 000002
【実用新案登録請求の範囲】
【請求項１】
本体ケースから玩具車両を発射させる発射手段を備える玩具車両発射装置において、
前記本体ケースの玩具車両進路に着脱可能に連結されるガイドレールと、
前記ガイドレールが前記本体ケースに装着された状態と、前記ガイドレールが前記本体ケースから離脱された状態とで前記発射手段による玩具車両の発射速度を変更させる発射制御装置と、
を備えたことを特徴とする玩具車両発射装置。
【請求項２】
前記発射制御装置は、前記ガイドレールが前記本体ケースに装着された状態で前記発射手段によって高速発射を行わせ、前記ガイドレールが前記本体ケースに離脱された状態で前記発射手段によって低速発射を行わせることを特徴とする請求項１に記載の玩具車両発射装置。
【請求項３】
前記発射手段は、玩具車両の進路の両側部に設置したローラ対を備え、ローラ対によって玩具車両を挟み込み、モータによるローラの回転によって、玩具車両を発射させるものであることを特徴とする請求項２に記載の玩具車両発射装置。
【請求項４】
前記モータは、可変速モータであり、モータの回転速度の変更によって玩具本体の発射速度を変更するように構成されていることを特徴とする請求項３に記載の玩具車両発射装置。
【請求項５】
前記モータから前記ローラ対に動力を伝達する第一の歯車列と、前記第一の歯車列とは少なくとも一部において異なる別の経路を経て前記モータから前記ローラ対に動力を伝達する第二の歯車列とを備え、歯車切換用アクチュエータによって前記第一の歯車列と前記第二の歯車列との切換えを行って、玩具本体の発射速度を変更するように構成されていることを特徴とする請求項３に記載の玩具車両発射装置。
【請求項６】
玩具車両を前記ローラ対に押し込む玩具車両押送機構を備えていることを特徴とする請求項３から５いずれか一に記載の玩具車両発射装置。
【請求項７】
前記発射制御装置は、前記ガイドレールの前記本体ケースへの装着の有無を検出するガイドレール装着検出手段からの信号に基づいて、前記発射手段による玩具車両の発射速度を変更させることを特徴とする請求項１から６いずれか一に記載の玩具車両発射装置。
【考案の詳細な説明】
【技術分野】
【０００１】
本考案は、玩具車両発射装置に関するもので、詳しくは、走行用レールを着脱自在に備えた玩具車両発射装置に関するものである。
【背景技術】
【０００２】
従来、本体ケース内に供給した玩具車両を発射手段によって本体ケース外へ発射する玩具車両発射装置が知られている（例えば、特許文献１）。この玩具車両発射装置は、動力を持たない玩具車両に動力を付与し、走行させるものである。
【特許文献１】特開平３−１２１０８９号公報（図１乃至図５参照）
【考案の開示】
【考案が解決しようとする課題】
【０００３】
しかしながら、このような玩具車両発射装置では、玩具車両の発射速度は一定であり、変化に乏しいものであった。
【０００４】
本考案は、かかる問題点を解決するためになされたもので、玩具発射速度の変更が可能で変化に富んだ遊びができる玩具車両発射装置を提供することを目的としている。
【課題を解決するための手段】
【０００５】
請求項１に記載の考案は、本体ケースから玩具車両を発射させる発射手段を備える玩具車両発射装置において、前記本体ケースの玩具車両進路に着脱可能に連結されるガイドレールと、前記ガイドレールが前記本体ケースに装着された状態と、前記ガイドレールが前記本体ケースから離脱された状態とで前記発射手段による玩具車両の発射速度を変更させる発射制御装置と、を備えたことを特徴とする玩具車両発射装置である。
【０００６】
請求項２に記載の考案は、前記発射制御装置は、前記ガイドレールが前記本体ケースに装着された状態で前記発射手段によって高速発射を行わせ、前記ガイドレールが前記本体ケースに離脱された状態で前記発射手段によって低速発射を行わせることを特徴とする請求項１に記載の玩具車両発射装置である。
【０００７】
請求項３に記載の考案は、前記発射手段は、玩具車両の進路の両側部に設置したローラ対を備え、ローラ対によって玩具車両を挟み込み、モータによるローラの回転によって、玩具車両を発射させるものであることを特徴とする請求項２に記載の玩具車両発射装置である。
【０００８】
請求項４に記載の考案は、前記モータは、可変速モータであり、モータの回転速度の変更によって玩具本体の発射速度を変更するように構成されていることを特徴とする請求項３に記載の玩具車両発射装置である。
【０００９】
請求項５に記載の考案は、前記モータから前記ローラ対に動力を伝達する第一の歯車列と、前記第一の歯車列とは少なくとも一部において異なる別の経路を経て前記モータから前記ローラ対に動力を伝達する第二の歯車列とを備え、歯車切換用アクチュエータによって前記第一の歯車列と前記第二の歯車列との切換えを行って、玩具本体の発射速度を変更するように構成されていることを特徴とする請求項３に記載の玩具車両発射装置である。
【００１０】
請求項６に記載の考案は、玩具車両を前記ローラ対に押し込む玩具車両押送機構を備えていることを特徴とする請求項３から５いずれか一に記載の玩具車両発射装置である。
【００１１】
請求項７に記載の考案は、前記発射制御装置は、前記ガイドレールの前記本体ケースへの装着の有無を検出するガイドレール装着検出手段からの信号に基づいて、前記発射手段による玩具車両の発射速度を変更させることを特徴とする請求項１から６いずれか一に記載の玩具車両発射装置である。
【考案の効果】
【００１２】
請求項１から７に記載の考案によれば、ガイドレールの有無によって玩具車両の発射速度が変わるので、変化に富んだ遊びができる。
【００１３】
また、請求項２の考案によれば、ガイドレールをケース本体に装着したときのみ、玩具車両の高速発射を可能にし、ガイドレールを装着しないときには玩具車両の低速発射としているので、ガイドレールを装着しないことによって生じるトラブル、例えば、玩具車両が壁に勢いよくぶつかって破損するなどのトラブルを可及的に防止することができる。
【００１４】
請求項３の考案によれば、両側に配置したローラ対で、車両の両側面を挟み込んで発射するので、車両を安定した状態で発射することができる。
【００１５】
請求項４の考案によれば、ローラの変速を可変モータによって行なうので、発射速度を任意に変えることができ、しかも、歯車の数を必要最小限に少なくすることができるので、装置がコンパクトになる。
【００１６】
請求項６の考案によれば、車両を強制的にローラへ送り込むので、発射タイミングを任意に設定できる。
【００１７】
請求項７の考案によれば、ガイドレールを装着しない状態で高速発射を行なうことを確実に防止することができる。
【考案を実施するための最良の形態】
【００１８】
以下に、本考案に係る玩具車両発射装置を、図面を参照しながら説明する。
図１は、本考案に係る玩具車両発射装置を示した斜視図、図２は、本考案に係る玩具自動車装置における車両発射手段の要部を概念的に示した斜視図、図３は、車両発射手段の歯車列を概念的に示した模式図、図４は、本考案に係る制御装置を示したブロック図である。
【００１９】
図１に示した玩具車両発射装置１は本体ケースとガイドレール４とを備えている。本体ケースは、玩具車両の一例としての玩具自動車（特に限定はされないが動力源を持たないミニチュア玩具自動車。）３を輸送する運搬車２として構成されている。また、ガイドレール４は、運搬車２の前側に着脱可能に連結されるものである。そして、ガイドレール４は、運搬車２の前側に連結された際には、運搬車２から発射される玩具自動車３の姿勢を制御しつつ宙返り走行させる働きをする。
【００２０】
運搬車２には、上部面に開口する凹部２ａが形成されている。この凹部２ａには、発射すべき玩具自動車３が設置される。また、凹部２ａの下部には、前面に開口される車両通路２ｂが形成されている（図２参照）。
【００２１】
運搬車２には、玩具自動車３の発射手段１０が内装されている。この発射手段１０は、図２および図３に示したように、運搬車２の車両通路２ｂの前端部に設置される１対のローラ１１，１２を備えている。これらのローラ１１，１２の軸１３，１４には、歯車１３ａ，１４ａがそれぞれ固設され、歯車１３ａ，１４ａは互いに噛合している。そして、軸１３には、さらに小歯車１３ｂが固設されている。
【００２２】
一方、ローラ１１の軸１３に平行して軸１５が配設され、この軸１５には、大歯車１５ａと小歯車１５ｂと歯車１５ｃが固設されている。軸１５は、軸方向に移動可能に設置されている。そして、軸１５は、歯車切換用アクチュエータ（クラッチ）１６によって軸方向に移動される。アクチュエータ１６は、電磁アクチュエータで、プランジャ１６ａが、軸１５に係合させたアマチュア１７に係合されている。
そして、アクチュエータ１６によって、大径歯車１５ａが軸１３の小歯車１３ｂに噛合する場合と、小径歯車１５ｂが軸１３の大歯車１３ａに噛合する場合が選択される。
また、軸１６に平行して駆動軸１８が配設され、この駆動軸１８には、歯車１８ａが固設されている。歯車１８ａは、軸１５の歯車１５ｃと噛合し、駆動軸１８のモータ１９によって回転される。なお、歯車１８と歯車１５ｃとの噛合は、軸１５の軸方向移動によっては解除されない。
【００２３】
また、発射手段１０は、車両押送機構２０を備えている。車両押送機構２０は、車両通路２ｂの後部に、例えばスライドプレート２１を備えている。このスライドプレート２１は、車両通路２ｂに対して垂直に配置され、両側部がガイドロッド２２によって前後方向に案内される。このスライドプレート２１は、車両押送用アクチュエータ２３によって作動される。車両押送用アクチュエータ２３は、電磁アクチュエータで、プランジャ２３ａが係合されている。
なお、ここでは、車両押送機構２０はスライドプレート２１を備えるものとしたが、スライドプレート２１の代わりに、揺動プレートを備えるものとしてもよい。そして、揺動プレートに永久磁石又は電磁コイルの一方を設け、電磁コイルに通電することによって揺動プレートを動作させ、その動作する揺動プレートによって玩具自動車３をローラ対側へ押送してもよい。また、凹部２ａの床を傾動可能に構成し、床が、水平状態とローラ対側に下り勾配となるスロープ状態とを取り得るように構成し、その床を動作させてスロープ状態とすることで玩具自動車３をローラ対側へ送るようにしてもよい。
【００２４】
また、ガイドレール４は、図１に示したように、運搬車２側端部がトンネル状を成し、それに続く部分がループ状を成している。運搬車側端部には、図２に示したように、端面に突出部４ａを備えており、この突出部４ａは、運搬車２の前端面に形成した凹部２ｃに嵌挿され、それによって、互いに連結される。また、突出部４ａが凹部２ｃに装着されたことを検出するガイドレール装着検出手段２４が配設されている。本実施形態の検出手段２４は、例えば凹部２ｃに配設された高速発射回路のオープン端子２４ａ，２４ａと、突出部４ａに端子２４ａ，２４ａを短絡する端子２４ｂとによって構成されている。
【００２５】
また、運搬車２の凹部２ａには、該凹部に玩具自動車３が収容されているのを検出するセンサ２５が設置されている。
なお、このセンサ２５は必ずしも必要ではない。
【００２６】
そして、ガイドレール装着検出手段２４、モータ１９，歯車切換用アクチュエータ１６，車両押送用アクチュエータ２３等が発進制御装置３０（図４参照）によって、以下のように制御される。
【００２７】
玩具自動車３が運搬車２の凹部２ａに収容されていると、センサ２５が玩具自動車３の存在を確認し、その信号によって、モータ１９が駆動される。このとき、ガイドレール４が運搬車２に連結されていない場合には、端子２４ａ，２４ａは短絡されていない。この場合には、軸１５の小歯車１５ｂが歯車１３ａに噛合しているため、モータ１９の回転は、減速されてローラ１１，１２に伝達される。
【００２８】
ここで、車両押送用アクチュエータ２３が作動されると、スライドプレート２１によって玩具自動車３がローラ１１，１２間に送り込まれる。したがって、玩具自動車３は、運搬車２から直接外部へ発射される。この場合、玩具自動車３は低速で発射される。
【００２９】
また、ガイドレール４が運搬車２に連結されている場合には、端子２４ａ，２４ａは短絡されている。この場合には、軸１５の大歯車１５ａが軸１３の小歯車１３ｂに噛合される。したがって、モータ１９の回転は、加速されてローラ１１，１２に伝達される。
【００３０】
ここで、玩具自動車３がローラ１１，１２間に送り込まれると、玩具自動車３は、ローラ１１，１２によってガイドレール４に向けて高速で発射され、玩具自動車３は、ガイドレール４によって姿勢が制御されて、ガイドレール４外へ走行される。
【００３１】
なお、上記実施形態において、ガイドレール装着検出手段２４を端子２４ａ，２４ｂによって構成しているが、他のセンサを採用することもできる。
【００３２】
また、上記実施形態では、ローラ１１，１２の回転数の変更を歯車の噛み合いを変更することで実現しているが、可変速モータによっても実現できる。
【００３３】
なお、上記実施形態では、センサ２５によって玩具自動車３が凹部２ａにセットされた否かを検出し、その検出結果に基づいてモータ１９等が駆動されるように構成したが、運搬車２に設けた操作子を人為的に操作したとき、又は別体の外部コントローラの操作子を操作したときにモータ１９等が駆動されるように構成してもよいことは勿論である。
【図面の簡単な説明】
【００３４】
【図１】本考案に係る玩具車両発射装置を示した斜視図である。
【図２】本考案に係る車両発射手段の要部を概念的に示した斜視図である。
【図３】本考案に係る車両発射手段の歯車列を概念的に示した模式図である。
【図４】本考案に係る制御装置を示したブロック図である。
【符号の説明】
【００３５】
１    玩具車両発射装置
２    運搬車（本体ケース）
２ａ    凹部
２ｂ    車両通路
３    玩具自動車
４    ガイドレール
１０    発射手段
１１，１２    ローラ
１６    歯車切換用アクチュエータ
１９    モータ
２０    車両押送機構
２４    ガイドレール装着検出手段
３０    発射制御装置
【図１】
0003139551.tif 000003
【図２】
0003139551.tif 000004
【図３】
0003139551.tif 000005
【図４】
0003139551.tif 000006